(57)【要約】【課題】大量の分散型電源が連系された電力系統において、上位系統の故障につながる分散型電源を確実に遮断する。【解決手段】分散型電源遮断システム１は、電力系統２、監視制御システム３及び分散型電源制御システム４を備える。電力系統２は、送電端側変電所、送電線、受電端側変電所、配電線からなり、電力を需要家の受電設備に供給するために変電、送電、配電を行う一連のシステムである。監視制御システム３は、送電線や各母線に備えられた遮断器ＣＢや断路器ＬＳの開閉状態及び保護装置Ｒｙの動作状態に応じて、太陽光発電装置ＰＶ（分散型電源）を解列させる指示を分散型電源制御システム４に出す。分散型電源制御システム４は、通常は配電線Ｗ２経由で太陽光発電装置ＰＶに対する固有の制御信号を送信し、監視制御システム３から解列指示を受けた場合には制御信号の送信を中断して太陽光発電装置ＰＶを解列する。【選択図】図１
2010239688.tif 000002
【特許請求の範囲】
【請求項１】
配電線に電力を搬送する電力系統の電力線の開路及び閉路を行う開閉装置と、
前記電力系統の所定の範囲における故障を検知する保護装置と、
前記電力系統における前記電力線、前記開閉装置及び前記範囲の接続構成データを予め記憶し、前記開閉装置から当該開閉装置による閉路を示す閉路信号を取得し、前記保護装置から故障を示す故障信号を取得するとともに、前記接続構成データ、前記閉路信号及び前記故障信号に基づいて、前記配電線が前記保護装置の検知した故障範囲から電力搬送を受けていたか否かを判定し、電力搬送を受けていた場合に前記配電線につながる分散型電源の解列指示を発する監視制御装置と、
を備えることを特徴とする分散型電源遮断システム。
【請求項２】
請求項１に記載の分散型電源遮断システムであって、
前記監視制御装置は、前記配電線が前記故障範囲から電力搬送を受けていたか否かを判定する際に、前記接続構成データ及び前記閉路信号から前記電力系統のうち実際に電力を搬送する経路を特定し、前記故障信号から前記故障範囲を特定し、前記配電線が前記経路を通じて前記故障範囲につながっているか否かを判定する
ことを特徴とする分散型電源遮断システム。
【請求項３】
請求項２に記載の分散型電源遮断システムであって、
前記監視制御装置は、各開閉装置の前記閉路信号及び各保護装置の前記故障信号を入力し、前記配電線につながる分散型電源の解列指示を発すべき旨を示す解列信号を出力する判定回路を備え、
前記判定回路は、前記範囲と、前記配電線との間に設けられた前記開閉装置の閉路信号及び当該範囲の故障を検知する前記保護装置の故障信号を入力し、当該２つの信号の論理積を前記解列信号として出力するＡＮＤ回路を含む
ことを特徴とする分散型電源遮断システム。
【請求項４】
請求項３に記載の分散型電源遮断システムであって、
前記判定回路は、前記配電線につながっている複数の範囲の故障信号を入力し、当該複数の故障信号の論理和を前記解列信号として出力するＯＲ回路を含む
ことを特徴とする分散型電源遮断システム。
【請求項５】
請求項１ないし請求項４のいずれか一項に記載の分散型電源遮断システムであって、
通常時には分散型電源を投入状態にする制御信号を配電線に送信し、前記監視制御装置から解列指示を受けた場合には該当する前記配電線への制御信号の送信を停止する分散型電源制御装置
をさらに備えることを特徴とする分散型電源遮断システム。
【請求項６】
電力系統における電力線と、前記電力線の開路及び閉路を行う開閉装置と、保護装置が故障を検知する前記電力系統の範囲との接続構成データを予め記憶する手段と、
前記開閉装置から当該開閉装置による閉路を示す閉路信号を取得する手段と、
前記保護装置から故障を示す故障信号を取得する手段と、
前記接続構成データ、前記閉路信号及び前記故障信号に基づいて、前記配電線が前記保護装置の検知した故障範囲から電力搬送を受けていたか否かを判定し、電力搬送を受けていた場合に前記配電線につながる分散型電源の解列指示を発する手段と、
を備えることを特徴とする監視制御装置。
【請求項７】
請求項６に記載の監視制御装置であって、
前記配電線が前記故障範囲から電力搬送を受けていたか否かを判定する際に、前記接続構成データ及び前記閉路信号から前記電力系統のうち実際に電力を搬送する経路を特定し、前記故障信号から前記故障範囲を特定し、前記配電線が前記経路を通じて前記故障範囲につながっているか否かを判定する
ことを特徴とする監視制御装置。
【請求項８】
請求項７に記載の監視制御装置であって、
各開閉装置の前記閉路信号及び各保護装置の前記故障信号を入力し、前記配電線につながる分散型電源の解列指示を発すべき旨を示す解列信号を出力する判定回路を備え、
前記判定回路は、前記範囲と、前記配電線との間に設けられた前記開閉装置の閉路信号及び当該範囲の故障を検知する前記保護装置の故障信号を入力し、当該２つの信号の論理積を前記解列信号として出力するＡＮＤ回路を含む
ことを特徴とする監視制御装置。
【請求項９】
請求項８に記載の監視制御装置であって、
前記判定回路は、前記配電線につながっている複数の範囲の故障信号を入力し、当該複数の故障信号の論理和を前記解列信号として出力するＯＲ回路を含む
ことを特徴とする監視制御装置。
【請求項１０】
配電線につながる分散型電源の解列指示を発する監視制御装置と通信可能であり、
通常時には分散型電源を投入状態にする制御信号を配電線に送信し、前記監視制御装置から解列指示を受けた場合には該当する前記配電線への制御信号の送信を停止する
ことを特徴とする分散型電源制御装置。
【発明の詳細な説明】
【技術分野】
【０００１】
本発明は、変電所等の上位系統に発生した故障に対応して、配電線につながる太陽光発電装置等の分散型電源を自動遮断するシステムに関する。
【背景技術】
【０００２】
配電線に連系される太陽光発電設備等の分散型電源を系統側異常時に自動遮断・転送遮断するための主な方法には、次に示すものがある。  
（１）分散型電源の配電系統との連系点における電気量の変化により、系統側の異常状態を検出して自動遮断する。  
（２）配電系統の故障発生時、配電線の保護装置から出力される故障情報により、転送遮断する。  
なお、特許文献１には、商用電力の通電停止を需要家側で容易に検出し、需要家側を商用電力供給系統から確実かつ自動的に解列できるようにしたシステムが開示されている。また、特許文献２には、分散型電源の解列方法の一例が開示されている。
【先行技術文献】
【特許文献】
【０００３】
【特許文献１】特開平５−１１５１２１号公報
【特許文献２】特開２００８−１７２８９７号公報
【発明の概要】
【発明が解決しようとする課題】
【０００４】
上記の従来技術のうち、（１）においては、系統側異常を判定する条件として電力量や電圧を用いている。また、（２）においては、配電線故障時及びこれに伴う自動再閉路を考慮しているものの、変電所等上位系統の故障時については、その判定条件として、一般に配電線が引き出される変電所等の母線電圧の低下を用いている。
【０００５】
このため、太陽光発電設備が大量に連系された配電系統においては、それらによる発電量と、当該母線から供給する負荷とがバランスした場合に、当該母線の電圧が低下せず、太陽光発電設備に対する遮断指令を発出することができない。
【０００６】
このような状態になると、故障点が充電状態のまま放置されるおそれがあり、また、上位系統の復旧操作に支障を及ぼすことになる。さらに、太陽光発電設備には負荷追従能力がないことから、当該発電設備の出力変動・負荷変動によって、需要家へ品質の低下した電気を届けてしまうことも懸念される。
【０００７】
本発明は、上記課題を鑑みてなされたものであり、その主たる目的は、大量の分散型電源が連系された電力系統において、上位系統の故障につながる分散型電源を確実に遮断することにある。
【課題を解決するための手段】
【０００８】
上記課題を解決するために、本発明は、分散型電源遮断システムであって、配電線に電力を搬送する電力系統の電力線の開路及び閉路を行う開閉装置と、前記電力系統の所定の範囲における故障を検知する保護装置と、前記電力系統における前記電力線、前記開閉装置及び前記範囲の接続構成データを予め記憶し、前記開閉装置から当該開閉装置による閉路を示す閉路信号を取得し、前記保護装置から故障を示す故障信号を取得するとともに、前記接続構成データ、前記閉路信号及び前記故障信号に基づいて、前記配電線が前記保護装置の検知した故障範囲から電力搬送を受けていたか否かを判定し、電力搬送を受けていた場合に前記配電線につながる分散型電源の解列指示を発する監視制御装置と、を備えることを特徴とする。
【０００９】
この構成によれば、電力系統に故障が発生した場合に、その故障範囲から電力搬送を受けていた配電線の分散型電源を解列させるので、上位系統の故障範囲に影響する分散型電源を確実に遮断することができる。なお、特許請求の範囲における監視制御装置は、実施の形態における監視制御システム３に対応する。また、接続構成データは、電力線の系統状態と、その電力線に設けられた開閉装置の位置と、保護装置が故障を検知する電力系統の範囲とを示したデータである。
【００１０】
また、本発明は、分散型電源遮断システムであって、前記監視制御装置が、前記配電線が前記故障範囲から電力搬送を受けていたか否かを判定する際に、前記接続構成データ及び前記閉路信号から前記電力系統のうち実際に電力を搬送する経路を特定し、前記故障信号から前記故障範囲を特定し、前記配電線が前記経路を通じて前記故障範囲につながっているか否かを判定することを特徴とする。  
この構成によれば、その時点における電力搬送の経路を特定し、その経路上で故障範囲につながっている配電線の分散型電源を解列させるので、上位系統の故障範囲に影響する分散型電源を確実に遮断することができる。
【００１１】
また、本発明は、分散型電源遮断システムであって、前記監視制御装置が、各開閉装置の前記閉路信号及び各保護装置の前記故障信号を入力し、前記配電線につながる分散型電源の解列指示を発すべき旨を示す解列信号を出力する判定回路を備え、前記判定回路が、前記範囲と、前記配電線との間に設けられた前記開閉装置の閉路信号及び当該範囲の故障を検知する前記保護装置の故障信号を入力し、当該２つの信号の論理積を前記解列信号として出力するＡＮＤ回路を含むことを特徴とする。  
この構成によれば、保護装置が故障を検知する範囲と、電力搬送を受ける配電線との間に開閉装置が設けられている場合に、保護装置が当該範囲の故障を検知し、かつ、開閉装置が閉路になっているときに解列信号を出力する。これによれば、上位系統の故障範囲に配電線の分散型電源が実際に影響するときに限り、当該分散型電源を解列させることができる。
【００１２】
また、本発明は、分散型電源遮断システムであって、前記判定回路が、前記配電線につながっている複数の範囲の故障信号を入力し、当該複数の故障信号の論理和を前記解列信号として出力するＯＲ回路を含むことを特徴とする。  
この構成によれば、複数の範囲が配電線につながっている場合に、保護装置が少なくとも１つの範囲の故障を検知したときに解列信号を出力する。これによれば、１つの故障範囲であっても配電線の分散型電源が影響するときには、当該分散型電源を解列させることができる。
【００１３】
また、本発明は、分散型電源遮断システムであって、通常時には分散型電源を投入状態にする制御信号を配電線に送信し、前記監視制御装置から解列指示を受けた場合には該当する前記配電線への制御信号の送信を停止する分散型電源制御装置をさらに備えることを特徴とする。  
この構成によれば、通常は配電線に制御信号を送信しているのを停止することにより、当該配電線につながる分散型電源を安全かつ確実に解列させることができる。なお、特許請求の範囲における分散型電源制御装置は、実施の形態における分散型電源制御システム４に対応する。
【００１４】
なお、本発明は、監視制御装置及び分散型電源制御装置を含む。その他、本願が開示する課題及びその解決方法は、発明を実施するための形態の欄、及び図面により明らかにされる。
【発明の効果】
【００１５】
本発明によれば、大量の分散型電源が連系された電力系統において、上位系統の故障につながる分散型電源を確実に遮断することができる。
【図面の簡単な説明】
【００１６】
【図１】分散型電源遮断システム１の構成を示す図である。
【図２】、上位系統で故障が発生した場合に配電線Ｗ２につながる分散型電源を転送遮断するか否かを出力する判定回路を示す図である。
【図３】個別受電形態において太陽光発電装置が解列される故障の保護装置の範囲を示す図である。
【図４】送電線１回線受電形態において太陽光発電装置が解列される故障の保護装置の範囲を示す図である。
【図５】送電線１回線・変圧器１台停止形態において太陽光発電装置が解列される故障の保護装置の範囲を示す図である。
【発明を実施するための形態】
【００１７】
以下、図面を参照しながら、本発明を実施するための形態を説明する。本発明の実施の形態に係る分散型電源遮断システムは、電力系統における開閉装置の閉路信号及び保護装置の故障信号に基づいて、当該電力系統から電力の搬送を受ける配電線の分散型電源を解列させるものである。
【００１８】
受電端側変電所については、変電所及び送電線の保護装置から出力される故障検出信号及び開閉装置の「入／切」条件を用いて分散型電源の解列信号を作成する。  
送電端側変電所については、送電線引出口の開閉装置、系統用変圧器１次・２次側開閉装置等の系統連系情報及び各種保護装置から出力される故障検出情報に基づいて、送電端側変電所、送電線等の上位系統の故障による分散型電源の解列信号を作成する。
【００１９】
なお、太陽光発電装置等の分散型電源に対する解列信号の作成対象となる、変電所保護装置や送電線保護装置により検出する故障には、以下のようなものがある。まず、変電所関係故障には、変圧器重故障、変圧器短絡、受電短絡・地絡、６ｋＶ母線短絡・地絡、６ｋＶ母線電圧低下、送電端側電気所停電等がある。次に、送電線関係故障には、送電線短絡・地絡、送電線欠相、送電線電圧低下等がある。そして、配電線関係故障には、配電線短絡・地絡等がある。
【００２０】
≪システムの構成と概要≫
図１は、分散型電源遮断システム１の構成を示す図である。分散型電源遮断システム１は、電力系統２、監視制御システム３及び分散型電源制御システム４を備える。電力系統２は、送電端側変電所、送電線、受電端側変電所、配電線からなり、電力を需要家の受電設備に供給するために変電、送電、配電を行う一連のシステムである。監視制御システム３は、送電線や各母線に備えられた遮断器や断路器の開閉状態及び保護装置の動作状態に応じて、分散型電源を解列させる指示を分散型電源制御システム４に出す。分散型電源制御システム４は、監視制御システム３からの解列指示を受けて、該当する配電線に対する制御信号の送信を停止する。  
以下、分散型電源遮断システム１について詳細に説明する。
【００２１】
電力系統２は、１号系及び２号系に分かれている。１号系では、電力線として送電母線Ａ１、送電線Ｌ１、受電母線Ｂ１、変圧器Ｔｒ１及び６ｋＶ母線Ｃ１がつながり、６ｋＶ母線Ｃ１に各配電線Ｗ１が接続される。保護装置ＲｙＳ１が送電母線Ａ１に対応して設置され、送電母線Ａ１の範囲における機械的故障や過電流を検知し、リレーとして動作するなお、他の保護装置も同様に自装置の管轄範囲における機械的故障や過電流を検知し、リレーとして動作する。保護装置ＲｙＬｓ１及び遮断器ＣＢＳ１が送電線Ｌ１の送電端側に設置され、保護装置ＲｙＬｒ１及び遮断器ＣＢ１１が送電線Ｌ１の受電端側に設置される。保護装置Ｒｙ１１が受電母線Ｂ１に対応して設置され、保護装置ＲｙＴｒ１が変圧器Ｔｒ１に対応して設置される。保護装置Ｒｙ２１及び遮断器ＣＢ２１が６ｋＶ母線Ｃ１に対応して設置される。配電線Ｗ１にもそれぞれ遮断器が設置される。２号系についても同様である。なお、配電線Ｗ２には、太陽光発電装置ＰＶが接続され、各配電線Ｗ２に対応して遮断器及び保護装置ＲｙＦが設置される。
【００２２】
１号系と、２号系とを連絡するものとして、遮断器ＣＢＳ０が送電母線Ａ１と、Ａ２との間を開閉する。断路器ＬＳ１０が受電母線Ｂ１と、Ｂ２との間を開閉する。遮断器ＣＢ２０が６ｋＶ母線Ｃ１と、Ｃ２との間を開閉する。遮断器ＣＢＳ０及びＣＢ２０、断路器ＬＳ１０の開閉によって、送電端側変電所から配電線Ｗ１及びＷ２への電力供給の経路が変わり、換言すれば、配電線Ｗ１及びＷ２につながる分散型電源を解列するトリガになる遮断器や保護装置が異なる。
【００２３】
監視制御システム３は、各遮断器と断路器の入切信号（閉路信号）及び保護装置のリレー動作信号（故障信号）を取得し、判定回路によって配電線Ｗ１又はＷ２につながる分散型電源を解列すべきか否かを判定し、解列すべき場合には、当該解列指示を分散型電源制御システム４に対して発する。なお、監視制御システム３は、送電線Ｌ１等の電力線の系統状態と、その電力線に設けられた遮断器ＣＢ及び断路器ＬＳの位置と、保護装置Ｒｙが故障を検知する電力系統２の範囲とを示した接続構成データを記憶しているものとする。
【００２４】
分散型電源制御システム４は、通常は分散型電源に対する固有の制御信号（配電線搬送信号）を配電線Ｗ１及びＷ２経由で送信し、分散型電源を投入状態にしているが、監視制御システム３から解列指示を受けた場合には該当する配電線Ｗ１又はＷ２への制御信号の送信を中断することにより、配電線Ｗ１又はＷ２につながる分散型電源を解列する。
【００２５】
≪判定回路の構成と動作≫
図２は、上位系統で故障が発生した場合に配電線Ｗ２につながる分散型電源を転送遮断するか否かを出力する判定回路を示す図である。図１に示すように、変電所等の上位系統から太陽光発電装置ＰＶ等の分散型電源装置の連系する配電線Ｗ２が引き出されている。その上位系統で故障が発生した場合、監視制御システム３が判定回路Ｄを用いて配電線Ｗ２が電力系統２の故障の範囲につながっているか否かを判定し、その判定結果に応じて解列指示を発し、分散型電源制御システム４がその解列指示を受けて該当する分散型電源装置を転送遮断する。
【００２６】
判定回路Ｄは、以下のように機能する。  
（１）受電端側変電所については、送電線、変圧器や母線の保護装置から出力される故障検出信号及び受電端、変圧器の１次・２次側の遮断器等の各開閉装置の入切状態を用いて、配電線Ｗ２につながる分散型電源を解列すべきか否かを判定する。  
（２）送電端側変電所については、送電線引出口の開閉装置、系統用変圧器１次・２次側開閉装置等の入切状態及び各種保護装置から出力される故障検出信号に基づいて、送電端側変電所や送電線等上位系統の故障によって配電線Ｗ２につながる分散型電源を解列すべきか否かを判定する。
【００２７】
上記（１）及び（２）に基づく判定回路Ｄについて以下に説明する。  
図２に示すように、判定回路Ｄは、各遮断器ＣＢ及び断路器ＬＳからの「入」信号（閉路信号）の入力線、各保護装置Ｒｙからのリレー動作信号（故障信号）の入力線、各入力線の信号の論理積を出力するＡＮＤ回路及び各入力線の信号の論理和を出力するＯＲ回路から構成される。「入」信号は、母線や送電線の間が閉路になっており、その経路を通じて電力が搬送可能であることを示す。リレー動作信号は、当該保護装置Ｒｙの管轄範囲内で機械的故障や過電流が発生したことを示す。そして、「入」信号及びリレー動作信号に基づいて、配電線Ｗ２につながる分散型電源を解列すべき旨を示す解列信号を各回路が出力する。
【００２８】
回路Ｄ１〜Ｄ５は、送電端側変電所から２号系の送電線Ｌ２までの経路で発生した故障に対応して信号を出力する（以下、簡単に「故障の信号を出力する」と表現する）。回路Ｄ１は、保護装置ＲｙＳ１及び遮断器ＣＢＳ０の信号をＡＮＤすることにより、遮断器ＣＢＳ０が入の場合に送電端側変電所の１号系における故障の信号を出力する。回路Ｄ２は、回路Ｄ１の出力信号と、保護装置ＲｙＳ２の信号とをＯＲすることにより、送電端側変電所内の１号系又は２号系における故障の信号を出力する。回路Ｄ３は、回路Ｄ２の出力信号と、遮断器ＣＢＳ２の信号とをＡＮＤすることにより、遮断器ＣＢＳ２が入の場合に送電端側変電所の故障の信号を出力する。回路Ｄ４は、回路Ｄ３の出力信号、保護装置ＲｙＬｓ２及びＲｙＬｒ２の信号をＯＲすることにより、送電端側変電所から送電線Ｌ２までの経路における故障の信号を出力する。回路Ｄ５は、回路Ｄ４の出力信号及び遮断器ＣＢ１２の信号をＡＮＤすることにより、遮断器ＣＢ１２が入の場合に送電端側変電所から送電線Ｌ２までの経路における故障の信号を出力する。
【００２９】
回路Ｄ６〜Ｄ１１は、送電端側変電所から１号系の変圧器Ｔｒ１までの経路における故障の信号を出力する。回路Ｄ６は、保護装置ＲｙＳ２及び遮断器ＣＢＳ０の信号をＡＮＤすることにより、遮断器ＣＢＳ０が入の場合に送電端側変電所の２号系における故障の信号を出力する。回路Ｄ７は、回路Ｄ６の出力信号と、保護装置ＲｙＳ１の信号とをＯＲすることにより、送電端側変電所内の１号系又は２号系における故障の信号を出力する。回路Ｄ８は、回路Ｄ７の出力信号と、遮断器ＣＢＳ１の信号とをＡＮＤすることにより、遮断器ＣＢＳ１が入の場合に送電端側変電所の故障の信号を出力する。回路Ｄ９は、回路Ｄ８の出力信号、保護装置ＲｙＬｓ１及びＲｙＬｒ１の信号をＯＲすることにより、送電端側変電所から送電線Ｌ１までの経路における故障の信号を出力する。回路Ｄ１０は、回路Ｄ９の出力信号と、遮断器ＣＢ１１の信号とをＡＮＤすることにより、遮断器ＣＢ１１が入の場合に送電端側変電所から送電線Ｌ１までの経路における故障の信号を出力する。回路Ｄ１１は、回路Ｄ１０の出力信号、保護装置Ｒｙ１１及びＲｙＴｒ１の信号をＡＮＤすることにより、１号系の受電母線Ｂ１及び変圧器Ｔｒ１までの故障の信号を出力する。
【００３０】
回路Ｄ１２〜Ｄ１４は、送電端側変電所から送電線Ｌ１と断路器Ｌ２１０及び送電線Ｌ２をそれぞれ経由して変圧器Ｔｒ２までの経路における故障の信号を出力する。回路Ｄ１２は、回路Ｄ１１の出力信号と、断路器ＬＳ１０の信号とをＡＮＤすることにより、断路器ＬＳ１０が入の場合に、送電端側変電所から送電線Ｌ１を経由して１号系の変圧器Ｔｒ１までの間の故障の信号を出力する。回路Ｄ１３は、回路Ｄ５及びＤ１２の出力信号、保護装置Ｒｙ１２及びＲｙＴｒ２の信号をＡＮＤすることにより、送電端側変電所から送電線Ｌ１と断路器ＬＳ１０及び送電線Ｌ２をそれぞれ経由して２号系の受電母線Ｂ２及び変圧器Ｔｒ２までの経路の故障の信号を出力する。回路Ｄ１４は、回路Ｄ１３の出力信号と、遮断器ＣＢ２２の信号とをＡＮＤすることにより、遮断器ＣＢ２２が入の場合に送電端側変電所から変圧器Ｔｒ２までの経路の故障の信号を出力する。
【００３１】
回路Ｄ１５〜Ｄ１７は、送電端側変電所から送電線Ｌ１を経由して１号系の６ｋＶ母線Ｃ１までの経路における故障の信号を出力する。回路Ｄ１５は、回路Ｄ１１の出力信号と、遮断器ＣＢ２１の信号とをＡＮＤすることにより、遮断器ＣＢ２１が入の場合に１号系の変圧器Ｔｒ１までの故障の信号を出力する。回路Ｄ１６は、回路Ｄ１５の出力信号と、保護装置Ｒｙ２１の信号とをＯＲすることにより、１号系の６ｋＶ母線Ｃ１までの故障の信号を出力する。回路Ｄ１７は、回路Ｄ１６の出力信号と、遮断器ＣＢ２０の信号とをＡＮＤすることにより、遮断器ＣＢ２０が入の場合に１号系の６ｋＶ母線Ｃ１までの故障の信号を出力する。
【００３２】
回路Ｄ１８は、回路Ｄ１４及びＤ１７の出力信号、保護装置Ｒｙ２２の信号をＯＲすることにより、送電端側変電所から送電線Ｌ２、送電線Ｌ１と断路器Ｌ２１０及び送電線Ｌ１と遮断器ＣＢ２０をそれぞれ経由して６ｋＶ母線Ｃ２までの経路における故障の信号を出力する。
【００３３】
なお、実際には、監視制御システム３は、図２の判定回路Ｄの出力信号と、配電線Ｗ２ごとに対応して設置された保護装置ＲｙＦの信号とをＯＲして出力する回路をさらに設けることにより、その回路の出力信号が１の場合に、当該配電線Ｗ２につながる分散型電源の解列指示を発する。また、１号系の配電線Ｗ１につながる分散型電源を解列すべきか否かを判定する回路も図２に示す回路と同様に実現することができる。
【００３４】
≪各種運転形態（例）における転送遮断の条件となる保護装置≫
図３〜図５では、分散型電源装置の連系する配電線が引出される変電所の各種運転形態において、転送遮断の条件となる保護装置を灰色の網掛けで示す。また、遮断器ＣＢ及び断路器ＬＳの「入」状態を白丸で示し、「切」状態を黒丸で示す。
【００３５】
図３は、個別受電形態において太陽光発電装置が解列される故障の保護装置の範囲を示す図である。個別受電形態は、配電線Ｗ２が、送電端側変電所から送電線Ｌ２を通じて電力搬送を受ける形態であり、遮断器ＣＢＳ０が「入」（閉路）状態になっていて、断路器ＬＳ１０及び遮断器ＣＢ２０が「切」（開路）状態になっている。この形態において、配電線Ｗ２につながる分散型電源を転送遮断する条件となる保護装置は、ＲｙＳ１、ＲｙＳ２、ＲｙＬｓ２、ＲｙＬｒ２、Ｒｙ１２、ＲｙＴｒ２及びＲｙ２２である。この形態に対応する判定回路は、図２の判定回路Ｄのうち、回路Ｄ１〜Ｄ５、Ｄ１３、Ｄ１４及びＤ１８に相当する。なお、断路器ＬＳ１０が「切」状態なので、回路Ｄ１２の出力信号は０である。また、遮断器ＣＢ２０が「切」状態なので、回路Ｄ１７の出力信号は０である。
【００３６】
図４は、送電線１回線受電形態において太陽光発電装置が解列される故障の保護装置の範囲を示す図である。送電線１回線受電形態は、配電線Ｗ２が、送電端側変電所から送電線Ｌ１及び断路器ＬＳ１０を通じて電力搬送を受ける形態であり、遮断器ＣＢＳ０及び断路器ＬＳ１０が「入」状態になっていて、遮断器ＣＢ２０が「切」状態になっている。また、遮断器ＣＢＳ２及びＣＢ１２が「切」状態になっている。この形態において、配電線Ｗ２につながる分散型電源を転送遮断する条件となる保護装置は、ＲｙＳ１、ＲｙＳ２、ＲｙＬｓ１、ＲｙＬｒ１、Ｒｙ１１、ＲｙＴｒ１、Ｒｙ１２、ＲｙＴｒ２及びＲｙ２２である。この形態に対応する判定回路は、図２の判定回路Ｄのうち、回路Ｄ６〜Ｄ１４及びＤ１８に相当する。なお、遮断器ＣＢ１２が「切」状態なので、回路Ｄ５の出力信号は０である。また、遮断器ＣＢ２０が「切」状態なので、回路Ｄ１７の出力信号は０である。
【００３７】
図５は、送電線１回線・変圧器１台停止形態において太陽光発電装置が解列される故障の保護装置の範囲を示す図である。送電線１回線・変圧器１台停止形態は、配電線Ｗ２が、送電端側変電所から送電線Ｌ１及び遮断器ＣＢ２０を通じて電力搬送を受ける形態であり、遮断器ＣＢＳ０及び遮断器ＣＢ２０が「入」状態になっていて、断路器ＬＳ１０が「切」状態になっている。また、遮断器ＣＢＳ２、ＣＢ１２及びＣＢ２２が「切」状態になっている。この形態において、配電線Ｗ２につながる分散型電源を転送遮断する条件となる保護装置は、ＲｙＳ１、ＲｙＳ２、ＲｙＬｓ１、ＲｙＬｒ１、Ｒｙ１１、ＲｙＴｒ１、Ｒｙ２１及びＲｙ２２である。この形態に対応する判定回路は、図２の判定回路Ｄのうち、回路Ｄ６〜Ｄ１１、Ｄ１５〜Ｄ１８に相当する。なお、遮断器ＣＢ２２が「切」状態なので、回路Ｄ１４の出力信号は０である。
【００３８】
以上説明した本発明の実施の形態によれば、電力系統２に故障が発生した場合に、その故障の箇所から電力搬送を受けていた配電線Ｗ２の太陽光発電装置ＰＶを解列させるので、故障箇所に影響する分散型電源を確実に遮断することができる。詳細には、その時点における電力搬送の経路を特定し、その経路上で故障箇所につながっている配電線Ｗ２の分散型電源を解列させる。
【００３９】
これによれば、太陽光発電装置ＰＶが大量に連系された電力系統２において、それによる発電量と、当該母線から供給する負荷とがバランスするような状況下において、変電所や上位系統における系統側故障が発生した場合、当該母線の電圧が低下しない（そのため、従来技術では太陽光発電装置ＰＶに対する遮断指令を発出できない）ときであっても、太陽光発電装置ＰＶ等の分散型電源を確実に遮断することができる。
【００４０】
以上によれば、故障箇所を充電状態に晒すこと、上位系統の復旧操作に支障を及ぼすこと、需要家へ品質の低下した電気を届けてしまうこと等を防ぐことができる。
【００４１】
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。
【符号の説明】
【００４２】
１      分散型電源遮断システム
２      電力系統
３      監視制御システム（監視制御装置）
４      分散型電源制御システム（分散型電源制御装置）
ＣＢ    遮断器（開閉装置）
ＬＳ    断路器（開閉装置）
Ｒｙ    保護装置
Ａ１、Ａ２  送電母線（電力線）
Ｌ１、Ｌ２  送電線（電力線）
Ｂ１、Ｂ２  受電母線（電力線）
Ｃ１、Ｃ２  ６ｋＶ母線（電力線）
Ｗ１、Ｗ２  配電線
Ｄ      判定回路
Ｄ１〜Ｄ１８  回路（ＡＮＤ回路、ＯＲ回路）
【図１】
2010239688.tif 000003
【図２】
2010239688.tif 000004
【図３】
2010239688.tif 000005
【図４】
2010239688.tif 000006
【図５】
2010239688.tif 000007